(57)【要約】【課題】  偏向ヨークの設計位置からのずれ量を抑えながら、外ずれ、内ずれ、左ずれ、右ずれのいずれのビームミスランディングをも補正する。【解決手段】  可撓性を有する環状ベルト１１の外周面上に複数の磁石１２が貼付された一対の磁石構体１０が、ファンネル１の外周面上に固定された二対の支軸１３ａ，１３ｂにそれぞれ垂直方向に架張して保持されている。複数の磁石１２は、それぞれのＮ極及びＳ極を結ぶ方向を環状ベルト１１の周方向と一致させて、且つ、隣り合う磁石１２の磁極が相互に逆極性となるようにして、環状ベルト１１の全周長のほぼ１／２の範囲にわたって連続して配置されている。一対の磁石構体１０は、管軸方向において偏向ヨーク２よりも蛍光体スクリーン側であって、管軸に対して水平方向の両側に位置している。【選択図】  図１
2006196273.tif 000002
【特許請求の範囲】
【請求項１】
内面に蛍光体スクリーンが形成されたガラスパネル及びファンネルが一体化された外囲器と、前記ファンネルの外周面上に搭載された偏向ヨークとを備えるカラー受像管装置であって、
前記カラー受像管装置は、
可撓性を有する環状ベルト、及び前記環状ベルトの外周面上に貼付された複数の磁石をそれぞれ有する一対の磁石構体と、
前記一対の磁石構体を、それぞれ垂直方向に架張して保持する、前記ファンネルの外周面上に固定された二対の支軸と
を更に備え、
前記複数の磁石は、それぞれのＮ極及びＳ極を結ぶ方向を前記環状ベルトの周方向と一致させて、且つ、隣り合う前記磁石の磁極が相互に逆極性となるようにして、前記環状ベルトの全周長のほぼ１／２の範囲にわたって連続して配置されており、
前記一対の磁石構体は、管軸方向において前記偏向ヨークよりも前記蛍光体スクリーン側であって、管軸に対して水平方向の両側に位置していることを特徴とするカラー受像管装置。
【請求項２】
請求項１に記載のカラー受像管装置のビームランディング位置の補正方法であって、
前記一対の磁石構体のそれぞれの前記複数の磁石を、前記環状ベルトの周方向に互いに独立して移動させることにより、前記蛍光体スクリーンの水平方向の周辺部へ向かう電子ビームの前記蛍光体スクリーン上へのランディング位置を調整することを特徴とするビームランディング位置の補正方法。
【請求項３】
請求項１に記載のカラー受像管装置の製造方法であって、
前記ファンネル上に前記偏向ヨークを搭載し、前記ファンネルと前記偏向ヨークとを固定し、
次いで、前記一対の磁石構体のそれぞれの前記複数の磁石を、前記環状ベルトの周方向に互いに独立して移動させることにより、前記蛍光体スクリーンの水平方向の周辺部へ向かう電子ビームの前記蛍光体スクリーン上へのランディング位置を調整し、
次いで、前記一対の磁石構体を前記ファンネルに対して固定する
ことを特徴とするカラー受像管装置の製造方法。
【発明の詳細な説明】
【技術分野】
【０００１】
本発明はカラー受像管装置に関する。また、本発明は、カラー受像管装置のビームランディング位置の補正方法、及びカラー受像管装置の製造方法に関する。
【背景技術】
【０００２】
一般に、カラー受像管装置では、電子銃に備えられた３つの陰極から放出された３本の電子ビームが、シャドウマスクに形成された電子ビーム通過孔を通過した後、ガラスパネルの内面に形成された蛍光体スクリーンを構成する緑・青・赤の３色の蛍光体をそれぞれ照射し発光させる。この際、偏向ヨークにより、３本の電子ビームを水平方向及び垂直方向に偏向させて、蛍光体スクリーンを走査させる。
【０００３】
良好な色表示を行うためには、シャドウマスクの電子ビーム通過孔を通過した３本の電子ビームが緑・青・赤の３色の蛍光体をそれぞれ正確に照射しなければならない。
【０００４】
本来、緑・青・赤の３色の蛍光体の位置は、シャドウマスクの電子ビーム通過孔を通過した電子ビーム軌道と一致していなければならない。ところが、蛍光体スクリーンは、光学レンズにより進行方向が曲げられた紫外線をシャドウマスクを介して露光して蛍光膜を感光硬化させることにより形成されるため、形成された各色の蛍光体の位置と電子ビーム軌道とを完全に一致させることは困難である。
【０００５】
従って、カラー受像管装置として発光表示させた場合、電子ビームの軌道と各色の蛍光体との位置のずれ、すなわち、ビームミスランディングを起こす部分が発生する場合がある。
【０００６】
緑・青・赤の３色の蛍光体に対する３本の電子ビームの照射位置のずれを補正する操作を色純度補正すなわちピュリティ補正という。ピュリティ補正は、色むらをなくしカラー受像管装置の表示面が各色について単一で一様な色を再現できるようにする調整である。ピュリティ補正が不完全であると、ラスターが一様に白くならず、部分的に色づき忠実なカラー画像の再現ができなくなる。
【０００７】
実際には、ピュリティ補正は、画面の中央部についてはカラー受像管装置のネック部の外周面上に取り付けられたピュリティマグネット（２極マグネット）を回転させることにより行い、画面周辺部については偏向ヨークをファンネルに対して前後方向（管軸方向）に移動させることにより行う。
【０００８】
図７（Ａ）は、水平方向周辺部において、電子ビームスポットが蛍光体ストライプに対して外側に位置ずれする、いわゆる「外ずれ」のビームミスランディングを示した図であり、図７（Ｂ）は、水平方向周辺部において、電子ビームスポットが蛍光体ストライプに対して内側に位置ずれする、いわゆる「内ずれ」のビームミスランディングを示した図である。これらの図において、９０は蛍光体スクリーン、９１Ｌ，９１Ｃ，９１Ｒは、それぞれ画面左側周辺部、画面中央部、画面右側周辺部の蛍光体ストライプ、９２Ｌ，９２Ｃ，９２Ｒは各蛍光体ストライプ９１Ｌ，９１Ｃ，９１Ｒをそれぞれ照射すべき電子ビームのスポットを示す。図７（Ａ）及び図７（Ｂ）に示した外ずれ及び内ずれは、偏向ヨークを管軸方向に沿って前後に移動させることにより補正することができる。ところが、この補正を行った結果、偏向ヨークの位置が設計位置から大きくずれてしまうと、画面上に新たな色ずれや歪が発生してしまうという問題がある。
【０００９】
図８（Ａ）は、水平方向周辺部において、電子ビームスポット９２Ｌ，９２Ｒが蛍光体ストライプ９１Ｌ，９１Ｒに対して左側に位置ずれする、いわゆる「左ずれ」のビームミスランディングを示した図であり、図８（Ｂ）は、水平方向周辺部において、電子ビームスポット９２Ｌ，９２Ｒが蛍光体ストライプ９１Ｌ，９１Ｒに対して右側に位置ずれする、いわゆる「右ずれ」のビームミスランディングを示した図である。図８（Ａ）及び図８（Ｂ）に示した左ずれ及び右ずれは、偏向ヨークを移動させるだけでは補正することができない。また、ピュリティマグネットを回転させることによっても、良好に補正することはできない。
【００１０】
ビームミスランディングの補正方法として、ピュリティマグネットや偏向ヨークの位置を調整する方法以外に、管軸方向において偏向ヨークよりも蛍光体スクリーン側の、ファンネルの外周面上に、Ｎ極及びＳ極が同時接するようにマグネットを取り付ける方法が提案されている（特許文献１参照）。更に、ＮＳ一対の磁極が複数、連続して着磁された磁性体を用いる方法も提案されている（特許文献２参照）。
【特許文献１】特開平５−２６６８２４号公報
【特許文献２】特開平１０−２４１６０２号公報
【発明の開示】
【発明が解決しようとする課題】
【００１１】
ところが、特許文献１の方法では、マグネットによる磁界の作用が局所的であるために、３本の電子ービームの各軌道が不均一に補正されてしまい、コンバーゼンスが悪化してしまうという問題がある。
【００１２】
また、特許文献２の方法では、この問題はある程度解消できるものの、製造バラツキなどによりビームミスランディングの状態がカラー受像管装置ごとに異なる場合に、個々のビームミスランディングに応じて補正量を柔軟に変更することが困難であるという問題がある。
【００１３】
本発明は、従来の上記の問題を解決し、偏向ヨークの設計位置からのずれ量を抑えながら、外ずれ、内ずれ、左ずれ、右ずれのいずれのビームミスランディングを補正することができ、しかも、カラー受像管装置ごとに異なるビームミスランディングに応じて補正量を柔軟に変更することができ、その結果、良好な表示品位を安定して得ることができるカラー受像管装置を提供することを目的とする。また、本発明は、このようなビームランディング位置の補正方法を提供することを目的とする。
【課題を解決するための手段】
【００１４】
本発明のカラー受像管装置は、内面に蛍光体スクリーンが形成されたガラスパネル及びファンネルが一体化された外囲器と、前記ファンネルの外周面上に搭載された偏向ヨークとを備える。前記カラー受像管装置は、可撓性を有する環状ベルト、及び前記環状ベルトの外周面上に貼付された複数の磁石をそれぞれ有する一対の磁石構体と、前記一対の磁石構体を、それぞれ垂直方向に架張して保持する、前記ファンネルの外周面上に固定された二対の支軸と更に備える。そして、前記複数の磁石は、それぞれのＮ極及びＳ極を結ぶ方向を前記環状ベルトの周方向と一致させて、且つ、隣り合う前記磁石の磁極が相互に逆極性となるようにして、前記環状ベルトの全周長のほぼ１／２の範囲にわたって連続して配置されており、前記一対の磁石構体は、管軸方向において前記偏向ヨークよりも前記蛍光体スクリーン側であって、管軸に対して水平方向の両側に位置していることを特徴とする。
【００１５】
また、上記の本発明のカラー受像管装置のビームランディング位置の補正方法は、前記一対の磁石構体のそれぞれの前記複数の磁石を、前記環状ベルトの周方向に互いに独立して移動させることにより、前記蛍光体スクリーンの水平方向の周辺部へ向かう電子ビームの前記蛍光体スクリーン上へのランディング位置を調整することを特徴とする。
【００１６】
また、上記の本発明のカラー受像管装置の製造方法は、前記ファンネル上に前記偏向ヨークを搭載し、前記ファンネルと前記偏向ヨークとを固定し、次いで、前記一対の磁石構体のそれぞれの前記複数の磁石を、前記環状ベルトの周方向に互いに独立して移動させることにより、前記蛍光体スクリーンの水平方向の周辺部へ向かう電子ビームの前記蛍光体スクリーン上へのランディング位置を調整し、次いで、前記一対の磁石構体を前記ファンネルに対して固定することを特徴とする。
【発明の効果】
【００１７】
本発明によれば、外ずれ、内ずれ、左ずれ、右ずれのいずれのビームミスランディングも補正することができる。しかも、いずれのビームミスランディングを補正する場合であっても、個々のカラー受像管装置ごとに異なるビームミスランディング量に応じて補正量を適切に設定することができる。
【００１８】
また、ビームミスランディングを補正に際して偏向ヨークの位置を移動させる必要がないので、色ずれ、歪に関して所望の安定した表示品位を得ることができる。
【００１９】
更に、カラー受像管装置の製造において、調整工程を簡略化でき、生産性が向上する。
【発明を実施するための最良の形態】
【００２０】
以下、本発明を、好適な実施形態を示しながら説明する。
【００２１】
図１は本発明の一実施形態に係るカラー受像管装置の概略構成を示した背面斜視図である。
【００２２】
本実施形態のカラー受像管装置は、内面に蛍光体スクリーンが形成されたガラスパネル（図示せず）及びファンネル１が一体化された外囲器を備えるカラー受像管と、ファンネル１の外周面上に搭載された偏向ヨーク２とを備える。本発明において、カラー受像管及び偏向ヨーク２としては、特に制限はなく、公知の如何なる構成であっても良い。
【００２３】
本実施形態のカラー受像管装置は、更に、ファンネル１の外周面上に一対の環状の磁石構体１０を備える。
【００２４】
磁石構体１０は、可撓性を有する環状ベルト１１と、環状ベルト１１の外周面上に貼付された複数の微小磁石１２とを備える。磁石構体１０は、ファンネル１の外周面上に、スクリーンの短辺方向（垂直方向）に取り付けられた一対の支軸１３ａ，１３ｂにより架張され保持されている。
【００２５】
図２は、環状ベルト１１上に貼付された複数の磁石１２を示した磁石構体１０の部分拡大斜視図である。図３は、支軸１３ａ周辺の磁石構体１０を示した部分拡大斜視図である。図４は、磁石構体１０の全体構成を示した正面図である。
【００２６】
図２に示すように、複数の磁石１２は、それぞれのＮ極及びＳ極を結ぶ方向を環状ベルト１１の周方向と一致させて、且つ、隣り合う磁石１２の磁極が相互に逆極性となるようにして、環状ベルト１１上に連続して配置されている。その結果、複数の磁石１２により、環状ベルト１１の周方向に沿って、Ｎ極，Ｓ極，Ｎ極，Ｓ極，・・・とＮ極及びＳ極が交互に繰り返されて配置されている。
【００２７】
環状ベルト１１上において複数の磁石１２が連続して配置された範囲の長さＬは、環状ベルト１１の全周長のほぼ１／２である。残りの約１／２の領域には磁石１２は存在しない。
【００２８】
このように構成された一対の環状の磁石構体１０は、図１に示すように、管軸を水平方向に挟んで、二対の支軸１３ａ，１３ｂにより垂直方向に架張されて保持されている。一対の磁石構体１０の取付位置及び磁極の配列順序は、管軸に対して相互に対称である。磁石構体１０の管軸方向の位置は、偏向ヨーク２よりも蛍光体スクリーン側である。
【００２９】
磁石構体１０は、一対の支軸１３ａ，１３ｂに架張された状態で、その周方向に沿って移動することができる。即ち、連続する複数の磁石１２の位置を垂直方向に移動させることができ、更に、一対の支軸１３ａ，１３ｂを結ぶ線に対して、管軸側及び管軸とは反対側に移動させることができる。これを実現するために、一対の支軸１３ａ，１３ｂは、自由に回転可能なプーリなどであっても良い。
【００３０】
一対の支軸１３ａ，１３ｂの外径は、巨視的に見て、架張された磁石構体１０を１本の細長い棒状とみなしうる程度に小さいことが好ましい。但し、一対の支軸１３ａ，１３ｂに架張された磁石構体１０の、その周方向に沿った移動が確保される必要がある。
【００３１】
本発明を対角サイズが２９インチのカラー受像管装置に適用した実施例を示す。環状ベルト１１は、全周長３００ｍｍ、幅１３ｍｍとし、その材料は難燃性ゴムとした。磁石１２は、縦（Ｎ極及びＳ極を結ぶ方向）４ｍｍ、横１３ｍｍ、厚さ１ｍｍのフェライト製磁石を用いた。支軸１３ａ，１３ｂの外径をφ１０ｍｍとした。合計３７個の磁石１２を、それぞれの片面に接着剤を付与して、相互に密着させて環状ベルト１１の外周面上に貼り付けた。
【００３２】
磁石構体１０の磁石１２によりビームミスランディングを補正することができるしくみを図５を用いて説明する。
【００３３】
図５に示すように、偏向ヨーク２で電子ビームが水平方向（走査方向、図５のＹ軸方向）に偏向され、蛍光体スクリーンの水平方向周辺部に向かう電子ビーム２０Ｒ，２０Ｌは、左右一対の磁石１２のうちいずれか近い方の磁石１２による磁界の影響を受けて、その軌道が管軸方向（即ちＺ軸方向）にシフトされる。その結果、電子ビーム２０Ｒ，２０Ｌの蛍光体スクリーンへのランディング位置が水平方向に変化する。
【００３４】
例えば、左右一対の磁石１２の磁極配置が図５の場合には、右側及び左側のいずれに偏向される電子ビーム２０Ｒ，２０Ｌも、その軌道は矢印２１の方向、即ち蛍光体スクリーン寄りにシフトされる。この結果、電子ビーム２０Ｒ，２０Ｌの蛍光体スクリーンへのランディング位置は、画面中央寄りに変化する。一方、蛍光体スクリーンの中央部に向かう電子ビーム２０Ｃは、左右一対の磁石１２による磁界の影響をほとんど受けず、従って、その軌道はほとんど変化しない。従って、この場合、図７（Ａ）に示した外ずれのビームミスランディングを補正することができる。
【００３５】
同様にして、左右一対の磁石１２の磁極配置を図５と逆にすれば、図７（Ｂ）に示した内ずれのビームミスランディングを補正することができる。
【００３６】
更に、左右一対の磁石１２のうちのいずれか一方のみの磁極配置を図５と逆にすれば、図８（Ａ）に示した左ずれのビームミスランディング又は図８（Ｂ）に示した右ずれのビームミスランディングを補正することができる。
【００３７】
本実施形態では、一対の磁石構体１０の複数の磁石１２の位置を、左右独立して調整することにより、それぞれが形成する磁界の向き（極性）及び強度を自由に変えることができる。これを図６を用いて説明する。
【００３８】
図６は、磁石構体１０の複数の磁石１２の位置が（Ａ）から（Ｅ）まで順に変化することにともなって磁石構体１０が形成する磁界が変化する様子を説明する図である。図６において、「Ｎ」及び「Ｓ」は、上下方向（垂直方向）に並んだ複数の磁石１２の磁極のうち、上端及び下端の磁極を示す。以下の説明の便宜のために、一点鎖線で示した、一対の支軸１３ａ，１３ｂの中心軸を結ぶ直線を「中心線２５」と呼ぶことにする。
【００３９】
図６（Ａ）に示すように、中心線２５に対して複数の磁石１２の全てが右側に位置する場合、磁石構体１０は、全体として、支軸１３ａ側をＮ極、支軸１３ｂ側をＳ極とする相対的に強い磁界を発生する。
【００４０】
図６（Ｂ）に示すように、中心線２５に対して両側に磁石１２が位置し、中心線２５に対して右側に位置する磁石１２の数が、左側に位置する磁石１２の数より多い場合、磁石構体１０は、全体として、支軸１３ａ側をＮ極、支軸１３ｂ側をＳ極とする相対的に弱い磁界を発生する。
【００４１】
図６（Ｃ）に示すように、中心線２５に対して両側に磁石１２が位置し、中心線２５に対して右側に位置する磁石１２の数と、左側に位置する磁石１２の数とが同じ場合、磁石構体１０は、全体として、電子ビームに作用する磁界をほとんど発生しない。
【００４２】
図６（Ｄ）に示すように、中心線２５に対して両側に磁石１２が位置し、中心線２５に対して左側に位置する磁石１２の数が、右側に位置する磁石１２の数より多い場合、磁石構体１０は、全体として、支軸１３ａ側をＳ極、支軸１３ｂ側をＮ極とする相対的に弱い磁界を発生する。
【００４３】
図６（Ｅ）に示すように、中心線２５に対して複数の磁石１２の全てが左側に位置する場合、磁石構体１０は、全体として、支軸１３ａ側をＳ極、支軸１３ｂ側をＮ極とする相対的に強い磁界を発生する。
【００４４】
従って、本実施形態の一対の磁石構体１０のそれぞれの複数の磁石１２の位置を調整すれば、図５を用いて説明した原理により、外ずれ、内ずれ、左ずれ、右ずれのいずれのビームミスランディングを補正することも可能である。また、磁石構体１０が形成する磁界の強さを調整することにより、ビームミスランディング量に応じて補正量を調整することも可能である。
【００４５】
カラー受像管装置においては、ファンネル１に対する偏向ヨーク２の管軸方向における最適な取付け位置が存在する。この最適な取付位置は、表示品位、例えばビームランディング位置、色ずれ、歪などが最良になるように考慮して設計時に決められる。
【００４６】
実際には、偏向ヨーク２の位置は、ビームランディング位置に大きな影響を及ぼす。従って、従来は、カラー受像管装置の製造の最終工程で、ビームランディング位置が許容範囲内に入るように、偏向ヨーク２の管軸方向における位置を調整した後、偏向ヨーク２がファンネル１に固定される。バラツキなどがなく製造されたカラー受像管装置であれば、偏向ヨーク２のファンネル１に対する固定位置は、設計された位置とほぼ一致し、ビームランディング位置のみならず、色ずれ及び歪などに関しても所望の特性が得られる。
【００４７】
ところが、部品の製造バラツキなどが大きい場合には、ビームランディング位置が許容範囲内に入るように、偏向ヨーク２の管軸方向における位置を調整すると、その位置は設計位置から大きく外れ、その結果、色ずれ及び歪の特性が悪化することがある。即ち、偏向ヨーク２の位置をどのように調整しても、良好な表示品位が得られないことがあった。
【００４８】
本実施形態のカラー受像管装置は、複数の磁石１２の位置を自由に調整できる一対の磁石構体１０を備えているので、この問題を解決することができる。
【００４９】
本実施形態のカラー受像管装置におけるビームランディング位置の調整方法を以下に説明する。
【００５０】
先ず、ビームランディング位置調整を行うことなく、偏向ヨーク２をファンネル１の、設計で定められた位置に固定する。これにより、色ずれ及び歪に関して最良な表示品位を確保する。
【００５１】
次に、ビームランディング位置調整を、一対の磁石構体６を用いて行う。即ち、図６（Ａ）〜図６（Ｅ）に示したように、複数の磁石１２の位置を調整することにより、左右それぞれの磁石構体１０が形成する磁界の向き（極性）及び強度を調整する。複数の磁石１２の位置調整により、偏向ヨーク２を管軸方向に位置調整した場合と同様に、図７（Ａ）及び図７（Ｂ）に示した外ずれ及び内ずれのビームミスランディングを補正できる。更に、偏向ヨーク２を管軸方向に位置調整しただけでは補正できなかった、図８（Ａ）及び図８（Ｂ）に示した左ずれ及び右ずれのビームミスランディングも補正することができる。しかも、外ずれ、内ずれ、左ずれ、右ずれのいずれのビームミスランディングを補正する場合であっても、個々のカラー受像管装置ごとに異なるビームミスランディング量に応じて補正量を適切に設定することができる。
【００５２】
このようにしてビームランディング位置調整を行った後、一対の磁石構体１０をファンネル１に固定する。固定は、例えば、接着剤などを付与することにより行うことができる。
【００５３】
従って、本実施形態によれば、ビームランディング位置、色ずれ、歪などの表示品位が優れたカラー受像管装置が得られる。
【００５４】
また、偏向ヨークの位置調整では補正困難であった左ずれ及び右ずれのビームミスランディングも補正することができるので、部品精度の許容範囲を拡大でき、また、歩留まりも向上する。
【００５５】
更に、偏向ヨーク２のファンネル１に対する取付位置はほぼ設計通りの位置でよいから、常に適正な画像品位が得られる。また、カラー受像管装置の製造において、調整工程を簡略化でき、生産性が向上する。
【産業上の利用可能性】
【００５６】
本発明の利用分野は特に制限はなく、各種用途のカラー受像管装置に利用することができる。
【図面の簡単な説明】
【００５７】
【図１】本発明の一実施形態に係るカラー受像管装置の概略構成を示した背面斜視図である。
【図２】本発明の一実施形態に係るカラー受像管装置において、環状ベルト上に貼付された複数の磁石を示した磁石構体の部分拡大斜視図である。
【図３】本発明の一実施形態に係るカラー受像管装置において、支軸周辺の磁石構体を示した部分拡大斜視図である。
【図４】本発明の一実施形態に係るカラー受像管装置において、磁石構体の全体構成を示した正面図である。
【図５】本発明の一実施形態に係るカラー受像管装置において、磁石構体の磁石がビームミスランディングを補正するしくみを説明する図である。
【図６】本発明の一実施形態に係るカラー受像管装置において、磁石構体が形成する磁界が変化する様子を説明する図である。
【図７】（Ａ）は外ずれのビームミスランディングを示した図、（Ｂ）は内ずれのビームミスランディングを示した図である。
【図８】（Ａ）は左ずれのビームミスランディングを示した図、（Ｂ）は右ずれのビームミスランディングを示した図である。
【符号の説明】
【００５８】
１  ファンネル
２  偏向ヨーク
１０  磁石構体
１１  環状ベルト
１２  磁石
１３ａ，１３ｂ  支軸
２０Ｒ，２０Ｃ，２０Ｌ  電子ビーム
【図１】
2006196273.tif 000003
【図２】
2006196273.tif 000004
【図３】
2006196273.tif 000005
【図４】
2006196273.tif 000006
【図５】
2006196273.tif 000007
【図６】
2006196273.tif 000008
【図７】
2006196273.tif 000009
【図８】
2006196273.tif 000010